(57)【要約】【課題】地域性ある災害に着目し、ユーザー端末の地域、管理センター端末の地域を考慮した上で、ユーザー端末のデータを保存する。【解決手段】制御手段３１は、ユーザー情報の住所に関する情報を属性として、記憶領域４１ｂからユーザーの経度緯度を取得し、管理センター端末２１等のの所在地に対応する経度緯度を取得する。制御手段３１は、ユーザーの地域を基準にして、各記憶手段の優先順位を付けることにより重み付けを行う。制御手段３１は、最も遠方にある記憶手段を１つのユーザーのバックアップ記憶手段として決定する。ユーザーから受信したデータは、地域的に隔たった複数の記憶手段において保存される。【選択図】　図１
2004094420.tif 000002
【特許請求の範囲】
【請求項１】
ユーザー端末からデータを受信して、管理センター端末で前記データを保存する方法において、前記管理センター端末に対応する記憶手段が複数の地域に存在し、前記ユーザー端末の存する地域以外で前記データを保存することを特徴とするデータ保存方法。
【請求項２】
それぞれのユーザー端末について、複数の記憶手段のうち主となる記憶手段が関連付けられており、複数の記憶手段のうち主となる記憶手段が、ユーザー端末の地域に対して遠方にある記憶手段から選択される、請求項１記載のデータ保存方法。
【請求項３】
それぞれのユーザー端末について、複数の記憶手段のうち主となる記憶手段が関連付けられており、複数の記憶手段のうち主となる記憶手段が、ユーザー端末の地域に対して最も近い記憶手段以外から選択される、請求項１記載のデータ保存方法。
【請求項４】
前記データが主となる記憶手段からリアルタイムで他の記憶手段に転送される、請求項２又は３記載のデータ保存方法。
【請求項５】
ユーザー端末からデータを受信して、管理センター端末で前記データを保存する方法において、前記管理センター端末に対応する記憶手段が複数の地域に存在し、前記データを少なくとも２箇所で保存することを特徴とするデータ保存方法。
【請求項６】
それぞれのユーザー端末について、複数の記憶手段が関連付けられており、複数の記憶手段のうち主となる記憶手段が、ユーザー端末の地域に対して遠方にある記憶手段から選択される、請求項５記載のデータ保存方法。
【請求項７】
それぞれのユーザー端末について、複数の記憶手段が関連付けられており、複数の記憶手段のうち主となる記憶手段が、ユーザー端末の地域に対して最も近い記憶手段以外から選択される、請求項５記載のデータ保存方法。
【請求項８】
前記データがリアルタイムで複数の記憶手段に転送される、請求項６又は７記載のデータ保存方法。
【請求項９】
複数の管理センター端末のそれぞれが、ユーザー端末からネットワークを介してデータを受信するための受信サーバと、データを保存する記憶手段とを有しており、
それぞれの管理センター端末が互いにネットワークを介して接続され、１つの管理センター端末が、受信したデータを自己の記憶手段に保存するとともに、他の管理センター端末の記憶手段に転送し、前記他の管理センター端末の記憶手段が転送された前記データを保存することを特徴とする、データ保存システム。
【請求項１０】
それぞれのユーザー端末について、複数の記憶手段のうち主となる記憶手段が関連付けられており、複数の記憶手段のうち主となる記憶手段が、ユーザー端末の地域に対して遠方にある記憶手段から選択される、請求項９記載のデータ保存システム。
【請求項１１】
それぞれのユーザー端末について、複数の記憶手段のうち主となる記憶手段が関連付けられており、複数の記憶手段のうち主となる記憶手段が、ユーザー端末の地域に対して最も近い記憶手段以外から選択される、請求項９記載のデータ保存システム。
【請求項１２】
前記データが受信した管理センター端末からリアルタイムで他の管理センター端末に転送される、請求項１０又は１１記載のデータ保存システム。
【発明の詳細な説明】
【０００１】
本発明は、ネットワーク上で動作する複数のユーザー端末とネットワーク上で動作する複数の管理センター端末との間でデータの送受信を行い、ユーザーの希望に応じてユーザーのデータを管理センター端末の記憶領域で保存するための、データ保存方法及びデータ保存システムに関する。
【０００２】
【従来の技術】
法人が各部署で使用する端末装置だけでなく、個人が家庭で使用するパーソナルコンピュータ等の端末装置でも、ホームページや動画等の膨大な量のデータを保存するため、記憶領域は瞬く間に飽和する。そのため、記憶領域を貸与するサービスが始まっている。
【０００３】
従来の記憶領域の貸与サービス方法は、例えば、特開２００１−３２５０３６号公報、特開２００２−７３８４０号公報に開示されている。
これらの特許文献に開示されるデータ保存方法は、ネットワークを介してユーザー端末と管理センター端末を接続可能に構成し、ユーザー端末が送信するデータをサーバで保存し、ユーザーのアクセスに応じてデータを転送するようになっている。
【０００４】
【発明が解決しようとする課題】
ウイルスや災害等でデータを読み取ることができなくなったとき、ユーザー端末以外にデータを保存することにより、データの復旧を行なうことはできる。しかし、停電・火災・地震・テロのように災害に地域性がある場合、データの保存は必ずしも万全ではない。
例えば、管理センター端末がユーザー端末と同一地域にある場合、地域性ある災害の地震によりデータが失われるおそれがある。また、管理センター端末が同一地域にある場合、同様に、データが失われるおそれがある。
【０００５】
本発明は、地域性ある災害に着目し、ユーザー端末の地域、管理センター端末の地域を考慮した上で、ユーザー端末のデータを保存する方法及びシステムを提供することにある。
【０００６】
【課題を解決するための手段】
本発明は、ユーザー端末からデータを受信して、管理センター端末で前記データを保存する方法において、前記管理センター端末の記憶手段が複数の地域に存在し、前記ユーザー端末の存する地域以外で前記データを保存することを特徴とする。
【０００７】
さらに、本発明は、それぞれのユーザー端末について、複数の記憶手段のうち主となる記憶手段が関連付けられており、複数の記憶手段のうち主となる記憶手段が、ユーザー端末の地域に対して遠方にある記憶手段から選択されることを特徴する。
【０００８】
また、本発明は、それぞれのユーザー端末について、複数の記憶手段のうち主となる記憶手段が関連付けられており、複数の記憶手段のうち主となる記憶手段が、ユーザー端末の地域に対して最も近い記憶手段以外から選択されることを特徴する。
【０００９】
さらに、本発明は、前記データが主となる記憶手段からリアルタイムで他の記憶手段に転送されることを特徴とする。
【００１０】
【発明の実施の形態】
以下、図面を参照して本発明によるデータ保存方法及びデータ保存システムの一実施形態について説明する。
【００１１】
図１は、本発明によるデータ保存方法及びデータ保存システムの一実施形態を示すブロック図である。
【００１２】
本発明のデータ保存システムは、ユーザー端末１１，１２，１３・・・（１ｎ）からネットワーク１０１を介してアクセス可能な複数の管理センター端末２１，２２，２３・・・（２ｎ）と、それぞれの管理センター端末２１，２２，２３・・・同士を接続する専用回線１０２より構成されている。
【００１３】
それぞれのユーザー端末１ｎは、パーソナルコンピュータ等の情報処理装置である。ユーザー端末１ｎは、ユーザーが住所又は居所を有する地域からネットワーク３１を介していずれかの管理センター端末２ｎにアクセスする。管轄管理センター端末２ｎは、ユーザー端末１ｎの存在する地域に隣接する管理センター端末２ｎから、ユーザーが選択することにより選定される。例えば、東京近郊にユーザー端末１ｎが存在する場合、電話料金の節約のため、東京近郊の管理センター端末２ｎが選択され、ユーザーが選択した管理センター端末が管轄管理センター端末として機能する。もっとも、費用面を無視すれば、いずれの管理センター端末を管轄管理センター端末として選択してもよい。
【００１４】
管理センター端末２ｎは、管理者が使用する端末装置であり、ワークステーション・サーバ等の情報処理装置によって構成される。それぞれの管理センター端末２１，２２，２３・・・（２ｎ）は、制御手段３１，３２，３３と、記憶手段４１，４２，４３を備えている。また、それぞれの管理センター端末２１，２２，２３は、端末設置地域外に外部の記憶手段５１，５２，５３（５ｎ）を備えていたり、専用回線３２を介して、端末設置地域外に外部の記憶手段６１，６２，６３（６ｎ）を備えていたりしてもよい。記憶手段５ｎは、管理センター端末２ｎに個々に対応する記憶手段であり、記憶手段６ｎは、管理センター端末２ｎに依存せず、それぞれの管理センター端末が共有することができる記憶手段である。
【００１５】
１つの管理センター端末２１における制御手段３１は、登録時には、ユーザー登録を統括するとともに、ユーザーに対応してデータ保存する記憶手段を設定する。それぞれの管理センター端末２１，２２，２３・・・において、制御手段３１，３２，３３は同じ機能を備えている。
【００１６】
１つの管理センター端末２１において、登録されたユーザー情報と、記憶手段設定情報は、それ自身の記憶手段４１に保存される。また、ユーザー情報及び記憶手段設定情報は、同時又は速やかに、専用回線１０２を介して他の管理センター端末に転送され、それぞれの記憶手段４２，４３に保存される。
【００１７】
複数の管理センター端末２ｎは、地域性ある災害を同時に罹災しない程度に地域を隔てて設置されている。ユーザー情報及び記憶手段設定情報は、１つの管理センター端末が罹災しても即座に復旧できる体制にある。
【００１８】
管理センター端末２ｎの記憶手段４ｎは、ユーザー情報及び記憶手段設定情報に加えて、ユーザー端末から受信するデータを記憶手段４ｎ保存することができる。他の外部記憶手段は、主として、ユーザー端末から受信するデータを保存することができる。
【００１９】
管理センター端末２１だけでなく、それぞれの記憶手段５ｎ，６ｎは、１つの記憶手段に対して、距離を於いて異なる地域に備えられている。すなわち、記憶手段の相互間の距離は、最大規模の災害を想定した上で、かなりの地域的隔たりをもっている。
【００２０】
次に、図１及び図２を参照して、ユーザー端末１ｎから管理センター端末２ｎにアクセスして、ユーザー登録を行う手順及びデータを保存する記憶手段を決定する手順について説明する。
【００２１】
ユーザーは、端末１１により希望する管理センター端末２ｎのいずれかにアクセスする（ステップＳ１）。ここでは、ユーザーが、複数ある管理センター端末２ｎから管理センター端末２１を選択したとする。管理センター端末２１は、ユーザーが登録を希望する信号を受信し、記憶手段２１の記憶領域４１ａに保存している登録受け付け情報をユーザー端末１１を送信する（ステップＳ１１）。
【００２２】
ユーザー端末１１の表示装置１１ａには、図３に示すように、ユーザー情報の登録画面が表示される（ステップＳ２）。登録画面では、入力領域に「名称（氏名）」「郵便番号」「住所」「電話番号」「ＦＡＸ番号」「メールアドレス」を入力することが促される。ユーザーは、登録画面において、所定の項目を入力し（ステップＳ３）、管理センター端末２１に送信する（ステップＳ４）。
【００２３】
管理センター端末２１は、ユーザー情報を受信し（ステップＳ１２）し、地理情報を参照して主及び副となる記憶手段を決定する（ステップＳ１３）。主及び副となる記憶手段を決定する手順は後述する。また、制御手段は、ユーザーのＩＤナンバー（以下、「ＩＤ」という。）及びパスワード（以下、「ＰＷ」という。）を生成する。
【００２４】
制御手段３１は、主及び副の記憶手段を決定した後、ＩＤ及びＰＷとともに、システムを利用するユーザーが受信するデータの送信先を登録マスター４１ａに保存する（ステップＳ１４）。制御手段３１は、ユーザー端末に関するＩＤ及びＰＷに加えて、ユーザーのデータを保存する記憶手段の情報をユーザーに送信するとともに、ＩＤ及びＰＷと、主及び副となる記憶手段の情報送信先と、ユーザー情報を他の管理センター端末２２，２３に専用回線１０２を介して送信する（ステップＳ１５）。
【００２５】
ユーザー端末は、ＩＤ及びＰＷに加えて、ユーザーのデータを保存する記憶手段の情報を受信し（ステップＳ５）、他の管理センター端末２２，２３は、記憶手段４２，４３において、ＩＤ及びＰＷと、主及び副となる記憶手段の情報送信先と、ユーザー情報を保存する（ステップＳ２１）。
【００２６】
次に、データを保存する記憶手段の地域を決定する手順（ステップＳ１３）を詳細に説明する。図４は、主及び副となる記憶手段を決定する手順ののフローチャートである。
【００２７】
記憶手段４１の記憶領域４１ｂには、地理情報が保存されている。地理情報は、例えば、行政区画名とそれに対応する経度緯度に関する情報である。制御手段３１は、ユーザー情報の住所に関する情報を属性として、その属性に基づき、記憶領域４１ｂからユーザーの経度緯度を取得する。また、制御手段３１は、管理センター端末２ｎ及び外部の記憶手段５ｎ，６ｎの所在地に対応する経度緯度を取得する（ステップＳ３１）。
【００２８】
制御手段３１は、経度緯度に関する情報から、ユーザーと各記憶手段の距離を計算する（ステップＳ３２）。そして、制御手段３１は、距離を基準として、ユーザーの住所（経度緯度）を中心にして、各記憶手段の優先順位を付けることにより重み付けを行う（ステップＳ３３）。記憶手段は、ユーザーから遠方にあるほど、ユーザーと同時に地域性ある災害を罹災しにくい。
【００２９】
制御手段３１は、最も遠方にある記憶手段を１つのユーザーのバックアップ記憶手段として仮決定する（ステップＳ３４）。複数のバックアップ記憶手段でデータを保存するために、管轄管理センター端末の記憶手段が選定された場合は、１箇所でデータを保存することになるためである。
【００３０】
制御手段３１は、管轄管理センター端末の記憶手段が仮決定したバックアップ記憶手段であるかを判定する（ステップＳ３５）。管轄管理センター端末の記憶手段がバックアップ記憶手段でない場合は、仮決定したバックアップ記憶手段を正規のバックアップ記憶手段として決定し（ステップＳ３６）、管轄管理センター端末の記憶手段がバックアップ記憶手段として選定された場合は、２番目に遠方の記憶手段をバックアップ記憶手段として選定する（ステップＳ３７）。
【００３１】
その後、制御手段３１は、バックアップ記憶手段に関する情報を登録マスター４１ａに保存する。また、この情報は、他の管理センター端末４２，４３に専用回線１０２を介して転送され、他の管理センター端末４２，４３はそれぞれの登録マスターでこの情報を保存する。
【００３２】
なお、関東地区、近畿地区、四国地区のように、予め地域を区分けしておき、ユーザーが存在する地区と同一又は隣接する地区以外に存する１又は２以上の記憶手段をバックアップ記憶手段として選定してもよい。
【００３３】
次に、登録済みユーザーがデータ保存する手順について、図５を参照して説明する。
【００３４】
ユーザーがユーザー端末のデータを保存する場合には、まず、そのデータを暗号化する（ステップＳ４１）。暗号キーは、ＩＤ及びＰＷの生成時に同時に生成し、管理センター端末からユーザー及び他の管理センター端末に送信してもよく、ユーザーがデータ送信を行う際に作成してもよい。
暗号化を行うのは、データのセキュリティーのためであり、データを暗号化した状態でデータ送受信及び管理センター端末における保存を行うこととしている。ユーザー自身が暗号キーを作成し、その暗号キーを秘密キーすることで、送受信時及び保存時においても第三者に対してデータをセキュリティを保つことができる。
【００３５】
管轄管理センター端末は、登録済みユーザーのアクセスがあると、ＩＤ及びＰＷによってユーザーの認証を行う（ステップＳ５１）。その後、暗号化したデータを受信し（ステップＳ５２）、登録マスターを参照して、保存すべき記憶手段にデータを転送し（ステップＳ５３）、管理センター端末自体の記憶手段がバックアップ記憶手段として選定されている場合には、その記憶手段にデータを保存する（ステップＳ５４）。
【００３６】
バックアップ記憶手段として選定された記憶手段は、転送を受けたデータを受信し（ステップＳ６１）、そのデータを保存する（ステップＳ６２）。地域性ある災害からデータを保護するため、バックアップ記憶手段へのデータの転送は、管轄管理センター端末が受信した際に同時又は速やかに行われる。
【００３７】
次に、ユーザーが保存したデータを入手又は参照する手順について、図６を参照して説明する。
【００３８】
ユーザーがユーザー端末のデータを参照する場合には、管理センター端末にアクセスしする（ステップＳ７１）。管理センター端末は、登録済みユーザーのアクセスがあると、ＩＤ及びＰＷによってユーザーの認証を行う（ステップＳ８１）。その後、暗号化したデータを送信する（ステップＳ８２）。
【００３９】
ユーザーは、暗号化したデータを受信し（ステップＳ７２）、そのデータを秘密キーで復号化することにより、データを画面表示して参照する（ステップＳ７３）。
【００４０】
管理センター端末が罹災した際、その管理センター端末のユーザー登録情報及び記憶手段のデータは、読取り不能になる場合があるが、地域を隔てた他の管理センター端末及び記憶手段において、ユーザー登録情報及びデータは保存された状態にある。
【００４１】
管理センター端末の復旧まで、ユーザーは、他の管理センター端末にアクセスすることにより、データを参照することができる。管理センター端末のワークステーション・サーバ等の情報処理装置が復旧した後は、他の管理センター端末及び記憶手段から、専用回線１０２を介してデータが転送され、復旧後は、ユーザーは従前通り、システムを利用することができるようになる。
【００４２】
また、ユーザー端末及び管轄管理センター端末が地域性ある災害を同時に罹災した場合には、他のユーザー端末を利用して他の管理センター端末及び記憶手段にアクセスすることにより、同様にデータを参照することができる。
【００４３】
【発明の効果】
以上説明したように、本発明によるデータ保存方法及びデータ保存方法システムによれば、ユーザー端末及び／又は記憶手段が地域性ある災害を罹災しても、他の記憶手段によってユーザー登録情報及びデータが保存されているので、データを罹災前の状態に復旧させることができる。
【図面の簡単な説明】
【図１】本発明によるデータ保存方法及びデータ保存システムの一実施形態を示すブロック図。
【図２】ユーザー登録を行う手順及びデータを保存する記憶手段を決定する手順のフローチャート。
【図３】ユーザー登録時のユーザー端末における画面表示。
【図４】バックアップ記憶手段を決定する手順を示すフローチャート。
【図５】ユーザー端末から記憶手段にデータを保存する手順をを示すフローチャート。
【図６】記憶手段からユーザー端末にデータを受信して、画面表示する手順をを示すフローチャート。
【符号の説明】
１１，１２，１３　ユーザー端末
２１，２２，２３　管理センター端末
３１，３２，３３　制御手段
４１，４２，４３　管理センター端末内部の記憶手段
５１，５２，５３　管理センター端末対応の記憶手段
６１，６２，６３　地域的に離れた外部の記憶手段
１０１　ネットワーク
１０２　専用回線
【図１】
2004094420.tif 000003
【図２】
2004094420.tif 000004
【図３】
2004094420.tif 000005
【図４】
2004094420.tif 000006
【図５】
2004094420.tif 000007
【図６】
2004094420.tif 000008